(57)【要約】【課題】  無線基地局および無線端末局の通信状態に応じて適切に制御チャネルの送信を行なうことが可能な無線基地局システム、送信選択方法および送信選択プログラムを提供する。【解決手段】  マスター基地局およびスレーブ基地局は、無線端末局から受信した無線信号に基づいて無線端末局との通信状態を測定する測定部１４，２４と、無線信号処理部５０，５１とを備え、マスター基地局は、同一の無線端末局との通信状態を両基地局から収集する収集部１５と、両基地局が無線端末局との通信で使用するリソースを管理するリソース管理部６０と、収集した通信状態およびリソースの使用状況のうち少なくとも通信状態に基づいて、無線端末局へ制御チャネルを送信する無線基地局を選択する送信選択制御部１６とを備え、選択された無線基地局における無線信号処理部は無線端末局へ制御チャネルを送信する。【選択図】        図２
2006253832.tif 000002
【特許請求の範囲】
【請求項１】
１台のマスター基地局と、前記マスター基地局と接続された１台または複数台のスレーブ基地局とで構成される無線基地局システムであって、
前記マスター基地局および前記スレーブ基地局は、
無線端末局から受信した無線信号に基づいて前記無線端末局との通信状態を測定する測定部と、
通話チャネルおよび制御チャネルのうち少なくともいずれか一方を送信する無線信号処理部とを備え、
前記マスター基地局は、さらに、
同一の前記無線端末局との前記通信状態を前記マスター基地局および前記スレーブ基地局から収集する収集部と、
前記マスター基地局および前記スレーブ基地局が前記無線端末局との通信で使用するリソースを管理するリソース管理部と、
前記収集部が収集した前記同一の無線端末局との通信状態および前記リソースの使用状況のうち少なくとも前記同一の無線端末局との通信状態に基づいて、前記同一の無線端末局へ前記制御チャネルを送信する無線基地局として前記マスター基地局または前記スレーブ基地局を選択する制御を行なう送信選択制御部とを備え、
前記選択された前記無線基地局における前記無線信号処理部は、前記同一の無線端末局へ前記制御チャネルを送信する無線基地局システム。
【請求項２】
前記リソース管理部は、フレームを時分割した複数個のスロットをリソースとして管理し、
前記複数個のスロットは１個の第１のスロットおよび１個または複数個の第２のスロットで構成され、
前記リソース管理部は、
前記無線端末局が行なう前記通話チャネル用の前記スロットの割当要求を検出するリソース要求検出部と、
前記リソース要求検出部が前記割当要求を検出した場合には、前記スロットの使用状況に基づいて、前記マスター基地局のいずれかの前記第２のスロットまたは前記スレーブ基地局の前記第１のスロットもしくはいずれかの前記第２のスロットを前記通話チャネル用として前記無線端末局に割り当てる制御を行なうリソース割当部とを含み、
前記マスター基地局における前記無線信号処理部は、前記マスター基地局の前記第２のスロットが割り当てられた場合には前記マスター基地局の前記第２のスロットにおいて前記通話チャネルを送信し、
前記スレーブ基地局における前記無線信号処理部は、前記スレーブ基地局の前記第１のスロットが割り当てられた場合には前記スレーブ基地局の前記第１のスロットにおいて前記通話チャネルを送信し、前記スレーブ基地局の前記第２のスロットが割り当てられた場合には前記スレーブ基地局の前記第２のスロットにおいて前記通話チャネルを送信し、
前記送信選択制御部は、前記同一の無線端末局との通信状態および前記リソース割当部が前記制御を行なった後の前記スロットの使用状況に基づいて、前記同一の無線端末局へ前記制御チャネルを送信する無線基地局として前記マスター基地局または前記スレーブ基地局を選択する制御を行ない、
前記選択された前記無線基地局における前記無線信号処理部は、前記選択された前記無線基地局の前記第１のスロットにおいて前記同一の無線端末局へ前記制御チャネルを送信する請求項１記載の無線基地局システム。
【請求項３】
前記リソース割当部は、前記リソース要求検出部が前記割当要求を検出した場合には、前記スロットの使用状況に基づいて、前記マスター基地局および前記スレーブ基地局の前記第２のスロットを優先的に前記無線端末局に割り当てる制御を行なう請求項２記載の無線基地局システム。
【請求項４】
１台のマスター基地局と、前記マスター基地局と接続された１台または複数台のスレーブ基地局とで構成される無線基地局システムにおける送信選択方法であって、
前記マスター基地局および前記スレーブ基地局が、無線端末局から受信した無線信号に基づいて前記無線端末局との通信状態を測定するステップと、
前記マスター基地局が、同一の前記無線端末局との前記通信状態を前記マスター基地局および前記スレーブ基地局から収集するステップと、
前記マスター基地局が、前記マスター基地局および前記スレーブ基地局が前記無線端末局との通信で使用するリソースを管理するリソース管理ステップと、
前記マスター基地局が、前記収集ステップにおいて収集された前記同一の無線端末局との通信状態および前記リソースの使用状況のうち少なくとも前記同一の無線端末局との通信状態に基づいて、前記同一の無線端末局へ前記制御チャネルを送信する無線基地局として前記マスター基地局または前記スレーブ基地局を選択する制御を行なう送信選択制御ステップと、
前記選択された前記無線基地局が、前記同一の無線端末局へ前記制御チャネルを送信する無線信号処理ステップとを含む送信選択方法。
【請求項５】
前記リソース管理ステップにおいては、前記マスター基地局が、フレームを時分割した複数個のスロットをリソースとして管理し、
前記複数個のスロットは１個の第１のスロットおよび１個または複数個の第２のスロットで構成され、
前記リソース管理ステップは、
前記マスター基地局が、前記無線端末局が行なう通話チャネル用の前記スロットの割当要求を検出するリソース要求検出ステップと、
前記マスター基地局が、前記リソース要求検出ステップにおいて前記割当要求が検出された場合には、前記スロットの使用状況に基づいて、前記マスター基地局のいずれかの前記第２のスロットまたは前記スレーブ基地局の前記第１のスロットもしくはいずれかの前記第２のスロットを前記通話チャネル用として前記無線端末局に割り当てる制御を行なうリソース割当ステップとを含み、
前記送信選択制御ステップにおいては、前記マスター基地局が、前記同一の無線端末局との通信状態および前記リソース割当ステップにおいて前記制御が行なわれた後の前記スロットの使用状況に基づいて、前記同一の無線端末局へ前記制御チャネルを送信する無線基地局として前記マスター基地局または前記スレーブ基地局を選択する制御を行ない、
前記無線信号処理ステップにおいては、前記選択された前記無線基地局が、前記選択された前記無線基地局の前記第１のスロットにおいて前記同一の無線端末局へ前記制御チャネルを送信する請求項４記載の送信選択方法。
【請求項６】
前記リソース割当ステップにおいては、前記マスター基地局が、前記リソース要求検出ステップにおいて前記割当要求が検出された場合には、前記スロットの使用状況に基づいて、前記マスター基地局および前記スレーブ基地局の前記第２のスロットを優先的に前記無線端末局に割り当てる制御を行なう請求項５記載の送信選択方法。
【請求項７】
１台のマスター基地局と、前記マスター基地局と接続された１台または複数台のスレーブ基地局とで構成される無線基地局システムにおける送信選択プログラムであって、コンピュータに、
前記マスター基地局および前記スレーブ基地局が、無線端末局から受信した無線信号に基づいて前記無線端末局との通信状態を測定するステップと、
前記マスター基地局が、同一の前記無線端末局との前記通信状態を前記マスター基地局および前記スレーブ基地局から収集するステップと、
前記マスター基地局が、前記マスター基地局および前記スレーブ基地局が前記無線端末局との通信で使用するリソースを管理するリソース管理ステップと、
前記マスター基地局が、前記収集ステップにおいて収集された前記同一の無線端末局との通信状態および前記リソースの使用状況のうち少なくとも前記同一の無線端末局との通信状態に基づいて、前記同一の無線端末局へ前記制御チャネルを送信する無線基地局として前記マスター基地局または前記スレーブ基地局を選択する制御を行なう送信選択制御ステップと、
前記選択された前記無線基地局が、前記同一の無線端末局へ前記制御チャネルを送信する無線信号処理ステップとを実行させる送信選択プログラム。
【請求項８】
前記リソース管理ステップにおいては、前記マスター基地局が、フレームを時分割した複数個のスロットをリソースとして管理し、
前記複数個のスロットは１個の第１のスロットおよび１個または複数個の第２のスロットで構成され、
前記リソース管理ステップは、
前記マスター基地局が、前記無線端末局が行なう通話チャネル用の前記スロットの割当要求を検出するリソース要求検出ステップと、
前記マスター基地局が、前記リソース要求検出ステップにおいて前記割当要求が検出された場合には、前記スロットの使用状況に基づいて、前記マスター基地局のいずれかの前記第２のスロットまたは前記スレーブ基地局の前記第１のスロットもしくはいずれかの前記第２のスロットを前記通話チャネル用として前記無線端末局に割り当てる制御を行なうリソース割当ステップとを含み、
前記送信選択制御ステップにおいては、前記マスター基地局が、前記同一の無線端末局との通信状態および前記リソース割当ステップにおいて前記制御が行なわれた後の前記スロットの使用状況に基づいて、前記同一の無線端末局へ前記制御チャネルを送信する無線基地局として前記マスター基地局または前記スレーブ基地局を選択する制御を行ない、
前記無線信号処理ステップにおいては、前記選択された前記無線基地局が、前記選択された前記無線基地局の前記第１のスロットにおいて前記同一の無線端末局へ前記制御チャネルを送信する請求項７記載の送信選択プログラム。
【請求項９】
前記リソース割当ステップにおいては、前記マスター基地局が、前記リソース要求検出ステップにおいて前記割当要求が検出された場合には、前記スロットの使用状況に基づいて、前記マスター基地局および前記スレーブ基地局の前記第２のスロットを優先的に前記無線端末局に割り当てる制御を行なう請求項８記載の送信選択プログラム。
【発明の詳細な説明】
【技術分野】
【０００１】
本発明は、無線基地局システム、送信選択方法および送信選択プログラムに関し、特に、マスター基地局およびスレーブ基地局が接続されて、スレーブ基地局がマスター基地局の制御に基づいて無線端末局と通信することが可能な無線基地局システム、送信選択方法および送信選択プログラムに関する。
【背景技術】
【０００２】
移動体通信システム（たとえば、Personal Handy-Phone System：以下、ＰＨＳ）では、ＴＤＭＡ／ＴＤＤ（Time Division Multiple Access/Time Division Duplex）方式で通信を行なっている。ＰＨＳでは、１フレームが８スロットで構成され、上り（無線端末局から無線基地局への通信方向）４スロットおよび下り（無線基地局から無線端末局への通信方向）４スロットで構成される。通常、上りおよび下りの４対のスロットのうち、１対のスロット（以下、制御用スロットという）には各無線端末局で共通の制御チャネル（以下、共通制御チャネルという）および各無線端末局で別個の制御チャネル（以下、個別制御チャネルという）が割り当てられる。また、３対のスロット（以下、通話用スロットという）には通話チャネルが割り当てられる。共通制御チャネルおよび個別制御チャネルをＣ、通話チャネルをＴで表わすと、無線基地局の通常のフレームの構成は１Ｃ３Ｔのフレーム構成である。
【０００３】
共通制御チャネルおよび個別制御チャネルはそれぞれ複数の種類のチャネルに分類される。また、１フレームに含まれる制御用スロットは１対のみであるため、１フレームでは１種類のチャネルしか送信できない。このため、時間的に連続する複数のフレームをスーパーフレームとして定義し、スーパーフレームが含む複数対の制御用スロットに、共通制御チャネルおよび個別制御チャネルに属する複数の種類のチャネルを所定の順番で割り当てる。
【０００４】
また、無線端末局は通話用スロットの割り当てを無線基地局から受けることにより、無線基地局と個別に音声等のデータの送受信を行なうことができる。より詳細には、各無線端末局は、無線基地局から送信される下り共通制御チャネルを受信して無線基地局の情報を取得する。そして、各無線端末局は、無線基地局の情報に基づいて上り共通制御チャネルを無線基地局に送信することにより通話チャネルの割当、すなわち、通話用スロットの割り当てを無線基地局に要求する。
【０００５】
ここで、従来からマスター基地局およびスレーブ基地局で構成され、スレーブ基地局が共通制御チャネルおよび個別制御チャネルを使用せずにマスター基地局の制御に基づいて無線端末局と通信することが可能な無線基地局システムが提案されている。マスター基地局のフレームの構成は、通常のフレーム構成であり、１Ｃ３Ｔである。マスター基地局の共通制御チャネルおよび個別制御チャネルは、マスター基地局とスレーブ基地局に共通に用いられる。それゆえ、スレーブ基地局は制御用スロットを通信用スロットとして使用して、４対のスロットのすべてに通話チャネルを割り当てる。つまり、スレーブ基地局の通常のフレームの構成は、４Ｔのフレーム構成である。したがって、この無線基地局システム全体のフレームの構成は、１Ｃ７Ｔである。
【０００６】
このような無線基地局システムでは、スレーブ基地局のフレームには、共通制御チャネルおよび個別制御チャネルを割り当てなくてもよいので、スレーブ基地局が割り当てることのできる通話チャネルの数を増やすことができる。
【０００７】
たとえば、特許文献１には、以下のような無線基地局システムが開示されている。すなわち、複数の接続ユニット（スレーブ基地局）を基地局本体（マスター基地局）に接続して制御信号（制御チャネル）の共有を行ない、かつ、基地局本体（マスター基地局）に接続要求を行なう無線端末局に対して接続ユニット（スレーブ基地局）側への優先的呼の割り当てを行なう構成である。このような構成により、周波数の有効利用および通信回線の分散化を実現することができる。
【特許文献１】特開平１１−３４６３８４号公報
【発明の開示】
【発明が解決しようとする課題】
【０００８】
しかしながら、特許文献１記載の無線基地局システムでは、無線基地局から無線端末局への制御チャネルはマスター基地局からのみ送信される構成であるため、無線基地局および無線端末局の通信状態に応じて適切に制御チャネルを送信することができないという問題点があった。
【０００９】
なぜならば、無線基地局および無線端末局の通信状態は無線基地局と無線端末局との距離および遮蔽物等の影響で無線端末局ごとに異なるものであり、マスター基地局との通信状態が悪い無線端末局は、スレーブ基地局から送信される通話チャネルは良好に受信できるにも関わらずマスター基地局から送信される制御チャネルを受信できないため、無線基地局システムの通信可能領域が実質的に狭くなる等の不具合が生じてしまうからである。
【００１０】
それゆえに、本発明の目的は、無線基地局および無線端末局の通信状態に応じて適切に制御チャネルの送信を行なうことが可能な無線基地局システム、送信選択方法および送信選択プログラムを提供することである。
【課題を解決するための手段】
【００１１】
上記課題を解決するために、この発明にある局面に係わる無線基地局システムは、１台のマスター基地局と、前記マスター基地局と接続された１台または複数台のスレーブ基地局とで構成される無線基地局システムであって、前記マスター基地局および前記スレーブ基地局は、無線端末局から受信した無線信号に基づいて前記無線端末局との通信状態を測定する測定部と、通話チャネルおよび制御チャネルのうち少なくともいずれか一方を送信する無線信号処理部とを備え、前記マスター基地局は、さらに、同一の前記無線端末局との前記通信状態を前記マスター基地局および前記スレーブ基地局から収集する収集部と、前記マスター基地局および前記スレーブ基地局が前記無線端末局との通信で使用するリソースを管理するリソース管理部と、前記収集部が収集した前記同一の無線端末局との通信状態および前記リソースの使用状況のうち少なくとも前記同一の無線端末局との通信状態に基づいて、前記同一の無線端末局へ前記制御チャネルを送信する無線基地局として前記マスター基地局または前記スレーブ基地局を選択する制御を行なう送信選択制御部とを備え、前記選択された前記無線基地局における前記無線信号処理部は、前記同一の無線端末局へ前記制御チャネルを送信する。
【００１２】
好ましくは、前記リソース管理部は、フレームを時分割した複数個のスロットをリソースとして管理し、前記複数個のスロットは１個の第１のスロットおよび１個または複数個の第２のスロットで構成され、前記リソース管理部は、前記無線端末局が行なう前記通話チャネル用の前記スロットの割当要求を検出するリソース要求検出部と、前記リソース要求検出部が前記割当要求を検出した場合には、前記スロットの使用状況に基づいて、前記マスター基地局のいずれかの前記第２のスロットまたは前記スレーブ基地局の前記第１のスロットもしくはいずれかの前記第２のスロットを前記通話チャネル用として前記無線端末局に割り当てる制御を行なうリソース割当部とを含み、前記マスター基地局における前記無線信号処理部は、前記マスター基地局の前記第２のスロットが割り当てられた場合には前記マスター基地局の前記第２のスロットにおいて前記通話チャネルを送信し、前記スレーブ基地局における前記無線信号処理部は、前記スレーブ基地局の前記第１のスロットが割り当てられた場合には前記スレーブ基地局の前記第１のスロットにおいて前記通話チャネルを送信し、前記スレーブ基地局の前記第２のスロットが割り当てられた場合には前記スレーブ基地局の前記第２のスロットにおいて前記通話チャネルを送信し、前記送信選択制御部は、前記同一の無線端末局との通信状態および前記リソース割当部が前記制御を行なった後の前記スロットの使用状況に基づいて、前記同一の無線端末局へ前記制御チャネルを送信する無線基地局として前記マスター基地局または前記スレーブ基地局を選択する制御を行ない、前記選択された前記無線基地局における前記無線信号処理部は、前記選択された前記無線基地局の前記第１のスロットにおいて前記同一の無線端末局へ前記制御チャネルを送信する。
【００１３】
より好ましくは、前記リソース割当部は、前記リソース要求検出部が前記割当要求を検出した場合には、前記スロットの使用状況に基づいて、前記マスター基地局および前記スレーブ基地局の前記第２のスロットを優先的に前記無線端末局に割り当てる制御を行なう。
【００１４】
上記課題を解決するために、この発明にある局面に係わる送信選択方法は、１台のマスター基地局と、前記マスター基地局と接続された１台または複数台のスレーブ基地局とで構成される無線基地局システムにおける送信選択方法であって、前記マスター基地局および前記スレーブ基地局が、無線端末局から受信した無線信号に基づいて前記無線端末局との通信状態を測定するステップと、前記マスター基地局が、同一の前記無線端末局との前記通信状態を前記マスター基地局および前記スレーブ基地局から収集するステップと、前記マスター基地局が、前記マスター基地局および前記スレーブ基地局が前記無線端末局との通信で使用するリソースを管理するリソース管理ステップと、前記マスター基地局が、前記収集ステップにおいて収集された前記同一の無線端末局との通信状態および前記リソースの使用状況のうち少なくとも前記同一の無線端末局との通信状態に基づいて、前記同一の無線端末局へ前記制御チャネルを送信する無線基地局として前記マスター基地局または前記スレーブ基地局を選択する制御を行なう送信選択制御ステップと、前記選択された前記無線基地局が、前記同一の無線端末局へ前記制御チャネルを送信する無線信号処理ステップとを含む。
【００１５】
好ましくは、前記リソース管理ステップにおいては、前記マスター基地局が、フレームを時分割した複数個のスロットをリソースとして管理し、前記複数個のスロットは１個の第１のスロットおよび１個または複数個の第２のスロットで構成され、前記リソース管理ステップは、前記マスター基地局が、前記無線端末局が行なう通話チャネル用の前記スロットの割当要求を検出するリソース要求検出ステップと、前記マスター基地局が、前記リソース要求検出ステップにおいて前記割当要求が検出された場合には、前記スロットの使用状況に基づいて、前記マスター基地局のいずれかの前記第２のスロットまたは前記スレーブ基地局の前記第１のスロットもしくはいずれかの前記第２のスロットを前記通話チャネル用として前記無線端末局に割り当てる制御を行なうリソース割当ステップとを含み、前記送信選択制御ステップにおいては、前記マスター基地局が、前記同一の無線端末局との通信状態および前記リソース割当ステップにおいて前記制御が行なわれた後の前記スロットの使用状況に基づいて、前記同一の無線端末局へ前記制御チャネルを送信する無線基地局として前記マスター基地局または前記スレーブ基地局を選択する制御を行ない、前記無線信号処理ステップにおいては、前記選択された前記無線基地局が、前記選択された前記無線基地局の前記第１のスロットにおいて前記同一の無線端末局へ前記制御チャネルを送信する。
【００１６】
より好ましくは、前記リソース割当ステップにおいては、前記マスター基地局が、前記リソース要求検出ステップにおいて前記割当要求が検出された場合には、前記スロットの使用状況に基づいて、前記マスター基地局および前記スレーブ基地局の前記第２のスロットを優先的に前記無線端末局に割り当てる制御を行なう。
【００１７】
上記課題を解決するために、この発明にある局面に係わる送信選択プログラムは、１台のマスター基地局と、前記マスター基地局と接続された１台または複数台のスレーブ基地局とで構成される無線基地局システムにおける送信選択プログラムであって、コンピュータに、前記マスター基地局および前記スレーブ基地局が、無線端末局から受信した無線信号に基づいて前記無線端末局との通信状態を測定するステップと、前記マスター基地局が、同一の前記無線端末局との前記通信状態を前記マスター基地局および前記スレーブ基地局から収集するステップと、前記マスター基地局が、前記マスター基地局および前記スレーブ基地局が前記無線端末局との通信で使用するリソースを管理するリソース管理ステップと、前記マスター基地局が、前記収集ステップにおいて収集された前記同一の無線端末局との通信状態および前記リソースの使用状況のうち少なくとも前記同一の無線端末局との通信状態に基づいて、前記同一の無線端末局へ前記制御チャネルを送信する無線基地局として前記マスター基地局または前記スレーブ基地局を選択する制御を行なう送信選択制御ステップと、前記選択された前記無線基地局が、前記同一の無線端末局へ前記制御チャネルを送信する無線信号処理ステップとを実行させる。
【００１８】
好ましくは、前記リソース管理ステップにおいては、前記マスター基地局が、フレームを時分割した複数個のスロットをリソースとして管理し、前記複数個のスロットは１個の第１のスロットおよび１個または複数個の第２のスロットで構成され、前記リソース管理ステップは、前記マスター基地局が、前記無線端末局が行なう通話チャネル用の前記スロットの割当要求を検出するリソース要求検出ステップと、前記マスター基地局が、前記リソース要求検出ステップにおいて前記割当要求が検出された場合には、前記スロットの使用状況に基づいて、前記マスター基地局のいずれかの前記第２のスロットまたは前記スレーブ基地局の前記第１のスロットもしくはいずれかの前記第２のスロットを前記通話チャネル用として前記無線端末局に割り当てる制御を行なうリソース割当ステップとを含み、前記送信選択制御ステップにおいては、前記マスター基地局が、前記同一の無線端末局との通信状態および前記リソース割当ステップにおいて前記制御が行なわれた後の前記スロットの使用状況に基づいて、前記同一の無線端末局へ前記制御チャネルを送信する無線基地局として前記マスター基地局または前記スレーブ基地局を選択する制御を行ない、前記無線信号処理ステップにおいては、前記選択された前記無線基地局が、前記選択された前記無線基地局の前記第１のスロットにおいて前記同一の無線端末局へ前記制御チャネルを送信する。
【００１９】
より好ましくは、前記リソース割当ステップにおいては、前記マスター基地局が、前記リソース要求検出ステップにおいて前記割当要求が検出された場合には、前記スロットの使用状況に基づいて、前記マスター基地局および前記スレーブ基地局の前記第２のスロットを優先的に前記無線端末局に割り当てる制御を行なう。
【発明の効果】
【００２０】
本発明によれば、無線基地局および無線端末局の通信状態に応じて適切に制御チャネルを送信することができる。
【発明を実施するための最良の形態】
【００２１】
以下、本発明の実施の形態について図面を用いて説明する。
【００２２】
［構成］
図１は、本発明の実施の形態に係る無線基地局システムの構成図である。
【００２３】
同図を参照して、この無線基地局システムは、マスター基地局２０１およびスレーブ基地局２０２を備える。
【００２４】
マスター基地局２０１およびスレーブ基地局２０２は直接接続されており、また、マスター基地局２０１およびスレーブ基地局２０２はそれぞれＩ’（ISDN: Integrated Services Digital Network）回線に接続されている。
【００２５】
マスター基地局２０１およびスレーブ基地局２０２は、ＴＤＭＡ／ＴＤＤ方式で図示しない１台または複数台の無線端末局と通信を行なう。
【００２６】
図２は、本発明の実施の形態に係る無線基地局システムにおけるマスター基地局２０１の構成を示す機能ブロック図である。
【００２７】
同図を参照して、この無線基地局は、アンテナ１と、スイッチ２と、受信部３と、復調部４と、中央制御部５と、回線制御部６と、インタフェース部７と、変調部８と、送信部９と、測定部１４と、収集部１５と、送信選択制御部１６と、無線信号処理部５０とを備える。
【００２８】
無線信号処理部５０は、通話用スロット処理部１０と、制御用スロット処理部１１とを含む。リソース管理部６０は、リソース要求検出部１２と、リソース割当部１３とを含む。
【００２９】
［上りの基本動作］
アンテナ１は、無線端末局から受信した無線信号をスイッチ２へ出力する。
【００３０】
スイッチ２は、アンテナ１から受けた無線信号を受信部３へ出力するか、あるいは送信部９から受けた送信信号をアンテナ１へ出力するかを図示しない制御信号に応じて切り替える。
【００３１】
受信部３は、スイッチ２から受けたＲＦ（Radio Frequency）帯の無線信号をベースバンド信号に周波数変換する。そして、受信部３は、アナログ信号であるベースバンド信号をデジタル信号である受信データに変換し、復調部４へ出力する。また、受信部３は、スイッチ２から受けた無線信号を測定部１４へ出力する。
【００３２】
復調部４は、受信部３から受けた受信データを復調し、復調データとして通話用スロット処理部１０および制御用スロット処理部１１へ出力する。
【００３３】
通話用スロット処理部１０は、後述のリソース割当部１３から受けたリソース割当情報に基づいて、復調部４から受けた復調データのうち使用中の通話用スロットにおける復調データを抽出し、抽出した復調データに種々の信号処理を行ない、中央制御部５へ出力する。ここで、「スロットが使用中である」とは、無線端末局にスロットが割り当てられ、そのスロットにおいて無線基地局および無線端末局が信号を送受信している状態のこという。また、信号処理とは、たとえば誤り訂正復号化処理や、復調データが音声データである場合には音声符号化方式の変換等の処理のことをいう。
【００３４】
中央制御部５は、通話用スロット処理部１０において信号処理された受信データを受けて、各通話用スロットにおける受信データをＩ’回線用のデータフレームに挿入する処理を行ない、データフレームを回線制御部６へ出力する。
【００３５】
回線制御部６は、Ｉ’回線との通信プロトコル処理を行ない、中央制御部５から受けたデータフレームをＩ’回線へ出力する。
【００３６】
［下りの基本動作］
回線制御部６は、Ｉ’回線との通信プロトコル処理を行ない、Ｉ’回線から受けたデータフレームを中央制御部５へ出力する。
【００３７】
中央制御部５は、回線制御部６から受けたデータフレームを通話用スロットで送信するデータに変換する処理を行ない、変換した送信データを通話用スロット処理部１０へ出力する。
【００３８】
通話用スロット処理部１０は、中央制御部５から受けた送信データに種々の信号処理を行ない、下り通話チャネルとして変調部８へ出力する。ここで、信号処理とは、たとえば誤り訂正符号化処理または送信データが音声データである場合には音声符号化方式の変換等の処理のことをいう。
【００３９】
制御用スロット処理部１１は、下り共通制御チャネルおよび下り個別制御チャネルを生成して変調部８へ出力する。
【００４０】
変調部８は、通話用スロット処理部１０から受けた下り通話チャネルならびに制御用スロット処理部１１から受けた下り共通制御チャネルおよび下り個別制御チャネルを変調し、変調データとして送信部９へ出力する。
【００４１】
送信部９は、変調部８から受けたデジタル信号である変調データをアナログ信号に変換し、アナログ信号をＲＦ帯に周波数変換した送信信号を増幅してスイッチ２へ出力する。
【００４２】
スイッチ２は、アンテナ１から受けた無線信号を受信部３へ出力するか、あるいは送信部９から受けた送信信号をアンテナ１へ出力するかを図示しない制御信号に応じて切り替える。
【００４３】
アンテナ１は、スイッチ２から受けた送信信号を無線信号として無線端末局へ送信する。
【００４４】
［送信選択制御に関連する基本動作］
制御用スロット処理部１１は、復調部４から受けた復調データのうちの制御用スロットにおける復調データである上り共通制御チャネルおよび上り個別制御チャネルを抽出し、リソース要求検出部１２へ出力する。
【００４５】
ここで、リソースとは、無線基地局が無線端末局との通信で使用する有限の資源をいい、スロットはリソースの一種である。
【００４６】
リソース要求検出部１２は、制御用スロット処理部１１から受けた上り個別制御チャネルから、使用中の通話用スロットの無線端末局による解放要求を検出する。また、リソース要求検出部１２は、制御用スロット処理部１１から受けた上り共通制御チャネルから無線端末局による通話用スロットの割当要求を検出する。そして、リソース要求検出部１２は、通話用スロットの割当要求および解放要求の内容を表わすリソース要求情報をリソース割当部１３および送信選択制御部１６へ出力する。
【００４７】
リソース割当部１３は、リソース要求検出部１２から受けたリソース要求情報に基づいてマスター基地局２０１における通話用スロットの使用状況を把握する。また、リソース割当部１３は、スレーブ基地局２０２からインタフェース部７経由で受けたスレーブ局リソース情報および送信選択制御部１６から受ける後述の制御チャネル送信情報に基づいてスレーブ基地局２０２における通話用スロットおよび制御用スロットの使用状況を把握する。そして、リソース割当部１３は、マスター基地局２０１およびスレーブ基地局２０２におけるスロットの使用状況に基づいてマスター基地局２０１の通話用スロットならびにスレーブ基地局２０２の通話用スロットおよび制御用スロットのうちのいずれを無線端末局に割り当てるかを決定する。
【００４８】
リソース割当部１３は、マスター基地局２０１の通話用スロットを無線端末局に割り当てる場合には、マスター基地局２０１のどの通話用スロットを無線端末局に割り当てるかを表わすマスター割当情報を生成し、通話用スロット処理部１０および制御用スロット処理部１１へ出力する。また、リソース割当部１３は、スレーブ基地局２０２の通話用スロットまたは制御用スロットを無線端末局に割り当てる場合にはスレーブ割当命令を生成してインタフェース部７経由でスレーブ基地局２０２へ送信する。
【００４９】
ここで、リソース割当部１３は、マスター基地局２０１の通話用スロットのいずれかが未使用である場合には、マスター基地局２０１の通話用スロットを優先的に割り当てる制御を行なう。
【００５０】
また、リソース割当部１３は、マスター基地局およびスレーブ基地局のリソースの使用状況を表わすリソース情報を送信選択制御部１６へ出力する。
【００５１】
測定部１４は、制御用スロット処理部１１から受けた図示しない制御信号に基づいて上り共通制御チャネルを受信する制御用スロットを認識し、受信部３から受けた無線信号から上り共通制御チャネルの受信レベルを測定し、測定した受信レベルを表わすマスター受信レベル情報を収集部１５へ出力する。
【００５２】
収集部１５は、測定部１４から受けたマスター受信レベル情報およびインタフェース部７経由でスレーブ基地局２０２から受信したスレーブ受信レベル情報を収集し、収集した各無線基地局における上り共通制御チャネルの受信レベルを送信選択制御部１６へ出力する。
【００５３】
さらに、送信選択制御部１６は、リソース割当部１３から受けたリソース情報が表わすマスター基地局２０１およびスレーブ基地局２０２におけるスロットの使用状況に基づいて、下り個別制御チャネルをスレーブ基地局２０２で送信することが可能であるか否かを判断する。送信選択制御部１６は、下り個別制御チャネルをスレーブ基地局２０２で送信することが可能であると判断した場合には、収集部１５から受けた各無線基地局における上り共通制御チャネルの受信レベルに基づいて、今回マスター基地局２０１またはスレーブ基地局２０２のスロットを割り当てる無線端末局（以下、割当端末局という）に対応する下り個別制御チャネルの送信をマスター基地局２０１またはスレーブ基地局２０２のいずれで行なうかを決定する送信選択制御を行なう。そして、送信選択制御部１６は、割当端末局に対応する下り個別制御チャネルをスレーブ基地局２０２で送信することを決定した場合には、複数フレームにおける複数の制御用スロットのうち、割当端末局に対応する下り個別制御チャネルをどの制御用スロットで送信するかを表わす制御チャネル送信情報を生成して制御用スロット処理部１１およびリソース割当部１３へ出力し、また、インタフェース部７経由でスレーブ基地局２０２へ送信する。
【００５４】
制御用スロット処理部１１は、送信選択制御部１６から制御チャネル送信情報を受けると、制御チャネル送信情報が表わす制御用スロットにおける下り個別制御チャネルの送信を停止する。
【００５５】
図３は、本発明の実施の形態に係る無線基地局システムにおけるスレーブ基地局２０２の構成を示す機能ブロック図である。
【００５６】
同図を参照して、スレーブ基地局２０２は、マスター基地局２０１に対して、さらに、無線信号処理部５０の代わりに無線信号処理部５１と、制御用スロット処理部１１の代わりに制御用スロット処理部２１と、リソース割当部１３の代わりにリソース割当部２３と、測定部１４の代わりに測定部２４とを備える。また、スレーブ基地局２０２は、マスター基地局２０１に対して、リソース要求検出部１２と、収集部１５と、送信選択制御部１６とを備えない構成である。
【００５７】
リソース割当部２３は、マスター基地局２０１からインタフェース部７経由でスレーブ割当命令を受信して、スレーブ基地局２０２のどのスロットを無線端末局に割り当てるかを表わすスレーブ割当情報を生成し、通話用スロット処理部１０および制御用スロット処理部２１へ出力する。
【００５８】
ここで、リソース割当部２３は、スレーブ基地局２０２のいずれかの通話用スロットが未使用である場合には、通話用スロットを優先的に割り当てる制御を行なう。また、リソース割当部２３は、制御用スロットを無線端末局に割り当てており、かつ、スレーブ基地局２０２のいずれかの通話用スロットが未使用となった場合には、制御用スロットの割り当てを中止して、制御用スロットを使用していた無線端末局に、未使用となった通話用スロットを割り当てる制御を行なう。
【００５９】
また、リソース割当部２３は、スレーブ基地局２０２における通話用スロットおよび制御用スロットの使用状況を表わすスレーブ局リソース情報を生成し、インタフェース部７経由でマスター基地局２０１へ送信する。
【００６０】
測定部２４は、制御用スロット処理部２１から受けた図示しない制御信号に基づいて上り共通制御チャネルを受信する制御用スロットを認識し、受信部３から受けた無線信号から上り共通制御チャネルの受信レベルを測定し、測定した受信レベルを表わすスレーブ受信レベル情報を生成し、インタフェース部７経由でマスター基地局２０１へ送信する。
【００６１】
制御用スロット処理部２１は、制御チャネル送信情報をインタフェース部７経由でマスター基地局２０１から受信すると、制御チャネル送信情報が表わす制御用スロットにおいて、割当端末局に対応する下り個別制御チャネルを送信する。
【００６２】
次に、本発明の実施の形態に係る無線基地局システムが送信選択制御を行なう際の動作について説明する。
【００６３】
［動作］
図４および図５は、本発明の実施の形態に係る無線基地局システムの動作手順を定めたフローチャートである。
【００６４】
マスター基地局２０１におけるインタフェース部７と、通話用スロット処理部１０と、制御用スロット処理部１１と、リソース要求検出部１２と、リソース割当部１３と、測定部１４と、収集部１５と、送信選択制御部１６とは、フローチャートの各ステップを備えるプログラムを図示しないメモリから読み出して実行する。このプログラムは、外部からインストールすることができる。
【００６５】
スレーブ基地局２０２におけるインタフェース部７と、通話用スロット処理部１０と、制御用スロット処理部２１と、リソース割当部２３と、測定部２４とは、フローチャートの各ステップを備えるプログラムを図示しないメモリから読み出して実行する。このプログラムは、外部からインストールすることができる。
【００６６】
無線端末局は、制御用スロットにおいて上り共通制御チャネルをマスター基地局２０１に送信することにより通話用スロットの割り当てをマスター基地局２０１に要求する（Ｓ１）。以下、この無線端末局をアクセス端末局という。
【００６７】
マスター基地局２０１における受信部３は、アクセス端末局から送信された上り共通制御チャネルを受信する（Ｓ１１）。
【００６８】
スレーブ基地局２０２における受信部３は、スレーブ基地局２０２の制御用スロットが未使用、すなわち他の無線端末局に通話チャネル用として割り当てられていない場合には（Ｓ３１でＹＥＳ）、アクセス端末局から送信された上り共通制御チャネルを受信する（Ｓ３２）。また、スレーブ基地局２０２における受信部３は、スレーブ基地局２０２の制御用スロットが使用中、すなわち他の無線端末局に通話チャネル用として割り当てられている場合には（Ｓ３１でＮＯ）、アクセス端末局から送信された上り共通制御チャネルを受信することができない。
【００６９】
なお、この無線基地局システムがアクセス端末局以外の無線端末局に対応する下り個別制御チャネルの送信をスレーブ基地局２０２の制御用スロットにおいて行なっている場合は、スレーブ基地局２０２における上りの制御用スロットでは何も受信していないため、スレーブ基地局２０２はアクセス端末局から送信された上り共通制御チャネルを受信することが可能である。
【００７０】
マスター基地局２０１における測定部１４は、制御用スロット処理部１１から受けた図示しない制御信号に基づいて上り共通制御チャネルを受信する制御用スロットを認識し、受信部３から受けた無線信号から上り共通制御チャネルの受信レベルを測定し、測定した受信レベルを表わすマスター受信レベル情報を収集部１５へ出力する（Ｓ１２）。
【００７１】
スレーブ基地局２０２における測定部２４は、制御用スロット処理部１１から受けた図示しない制御信号に基づいて上り共通制御チャネルを受信する制御用スロットを認識し、受信部３から受けた無線信号から上り共通制御チャネルの受信レベルを測定し（Ｓ３３）、測定した受信レベルを表わすスレーブ受信レベル情報を生成し、インタフェース部７経由でマスター基地局２０１へ送信する（Ｓ３４）。
【００７２】
収集部１５は、測定部１４から受けたマスター受信レベル情報およびインタフェース部７経由でスレーブ基地局２０２から受信したスレーブ受信レベル情報を収集し、収集した各無線基地局における上り共通制御チャネルの受信レベルを送信選択制御部１６へ出力する（Ｓ１３）。
【００７３】
マスター基地局２０１におけるリソース割当部１３は、この無線基地局システムがアクセス端末局以外の無線端末局に対応する下り個別制御チャネルのうち少なくとも１つをスレーブ基地局２０２で送信しており（Ｓ１４でＹＥＳ）、かつ、マスター基地局２０１およびスレーブ基地局２０２の通話用スロットのうちのいずれかの通話用スロットが未使用である場合には（Ｓ１５でＹＥＳ）、アクセス端末局に未使用の通話用スロットを割り当てる（Ｓ１６）。そして、リソース割当部１３は、マスター基地局およびスレーブ基地局のリソースの使用状況を表わすリソース情報を更新し、送信選択制御部１６へ出力する。
【００７４】
そして、送信選択制御部１６は、リソース割当部１３からリソース情報を受けて、アクセス端末局に対応する下り個別制御チャネルの送信をスレーブ基地局２０２の制御用スロットにおいて行なうことが可能であると判断する（Ｓ１７）。
【００７５】
一方、マスター基地局２０１におけるリソース割当部１３は、この無線基地局システムがアクセス端末局以外の無線端末局に対応する下り個別制御チャネルの送信をスレーブ基地局２０２の制御用スロットにおいて行なっておらず（Ｓ１４でＮＯ）、かつ、マスター基地局２０１およびスレーブ基地局２０２の通話用スロットのうちのいずれかの通話用スロットが未使用である場合には（Ｓ２２でＹＥＳ）、アクセス端末局に未使用の通話用スロットを割り当てる（Ｓ１６）。
【００７６】
そして、送信選択制御部１６は、リソース割当部１３からリソース情報を受けて、アクセス端末局に対応する下り個別制御チャネルの送信をスレーブ基地局２０２の制御用スロットにおいて行なうことが可能であると判断する（Ｓ１７）。
【００７７】
送信選択制御部１６は、下り個別制御チャネルをスレーブ基地局２０２で送信することが可能であると判断すると、収集部１５から受けたマスター基地局２０１における上り共通制御チャネルの受信レベルおよびスレーブ基地局２０２における上り共通制御チャネルの受信レベルを比較する。そして、送信選択制御部１６は、マスター基地局２０１における上り共通制御チャネルの受信レベルがスレーブ基地局２０２における上り共通制御チャネルの受信レベル未満である場合には（Ｓ１８でＹＥＳ）、アクセス端末局に対応する下り個別制御チャネルをスレーブ基地局２０２で送信することを決定する（Ｓ１９）。一方、送信選択制御部１６は、マスター基地局２０１における上り共通制御チャネルの受信レベルがスレーブ基地局２０２における上り共通制御チャネルの受信レベル以上である場合には（Ｓ１８でＮＯ）、アクセス端末局に対応する下り個別制御チャネルをマスター基地局２０１で送信することを決定する（Ｓ２４）。
【００７８】
そして、送信選択制御部１６は、アクセス端末局に対応する下り個別制御チャネルをスレーブ基地局２０２で送信することを決定した場合には、スーパーフレームが含む複数の制御用スロットのうち、アクセス端末局に対応する下り個別制御チャネルをどの制御用スロットで送信するかを表わす制御チャネル送信情報を生成して制御用スロット処理部１１およびリソース割当部１３へ出力し、また、インタフェース部７経由でスレーブ基地局２０２へ送信する（Ｓ２０）。
【００７９】
マスター基地局２０１における制御用スロット処理部１１は、送信選択制御部１６から制御チャネル送信情報を受けると、制御チャネル送信情報が表わす制御用スロットにおける下り個別制御チャネルの送信を停止する（Ｓ２１）。
【００８０】
スレーブ基地局２０２における制御用スロット処理部２１は、アクセス端末局に対応する下り個別制御チャネルをどの制御用スロットで送信するかを表わす制御チャネル送信情報をインタフェース部７経由でマスター基地局２０１から受信すると（Ｓ３５でＮＯ）、制御チャネル送信情報が表わす制御用スロットにおいて、アクセス端末局に対応する下り個別制御チャネルを送信する（Ｓ３６）。
【００８１】
一方、マスター基地局２０１におけるリソース割当部１３は、この無線基地局システムがアクセス端末局以外の無線端末局に対応する下り個別制御チャネルの送信をスレーブ基地局２０２の制御用スロットにおいて行なっておらず（Ｓ１４でＮＯ）、かつ、マスター基地局２０１およびスレーブ基地局２０２の通話用スロットがすべて使用中である場合には（Ｓ２２でＮＯ）、アクセス端末局にスレーブ基地局２０２の制御用スロットを割り当てる（Ｓ２３）。そして、リソース割当部１３は、マスター基地局およびスレーブ基地局のリソースの使用状況を表わすリソース情報を更新し、送信選択制御部１６へ出力する。
【００８２】
そして、送信選択制御部１６は、リソース割当部１３からリソース情報を受けて、アクセス端末局に対応する下り個別制御チャネルをマスター基地局２０１で送信することを決定する（Ｓ２４）。
【００８３】
一方、送信選択制御部１６は、この無線基地局システムがアクセス端末局以外の無線端末局に対応する下り個別制御チャネルのうち少なくとも１つをスレーブ基地局２０２で送信しており（Ｓ１４でＹＥＳ）、かつ、マスター基地局２０１およびスレーブ基地局２０２の通話用スロットがすべて使用中である場合には（Ｓ１５でＮＯ）、スレーブ基地局２０２における制御用スロット処理部２１で送信中の下り個別制御チャネルおよびアクセス端末局に対応する下り個別制御チャネルをマスター基地局２０１で送信することを決定する（Ｓ２５）。
【００８４】
そして、送信選択制御部１６は、この無線基地局システムがアクセス端末局以外の無線端末局に対応する下り個別制御チャネルをスレーブ基地局２０２で送信しているため、スレーブ基地局２０２の選択停止を表わす制御チャネル送信情報、すなわち、スレーブ基地局２０２における制御用スロット処理部２１で送信中のすべての下り個別制御チャネルの送信を停止し、かつ、スレーブ基地局２０２における制御用スロット処理部２１で送信中のすべての下り個別制御チャネルをマスター基地局２０１における制御用スロット処理部１１で送信することを表わす制御チャネル送信情報を制御用スロット処理部１１およびリソース割当部１３へ出力し、また、インタフェース部７経由でスレーブ基地局２０２へ送信する（Ｓ２６）。
【００８５】
スレーブ基地局２０２における制御用スロット処理部２１は、スレーブ基地局２０２の選択停止を表わす制御チャネル送信情報をインタフェース部７経由でマスター基地局２０１から受信すると（Ｓ３５でＹＥＳ）、下り個別制御チャネルの送信を停止する（Ｓ３７）。
【００８６】
マスター基地局２０１における制御用スロット処理部１１は、送信選択制御部１６からスレーブ基地局２０２の選択停止を表わす制御チャネル送信情報を受けると、スレーブ基地局２０２における制御用スロット処理部２１が送信していた下り個別制御チャネルおよびアクセス端末局に対応する下り個別制御チャネルの送信を開始する。
【００８７】
マスター基地局２０１におけるリソース割当部１３は、送信選択制御部１６からスレーブ基地局２０２の選択停止を表わす制御チャネル送信情報を受けると、アクセス端末局にスレーブ基地局２０２の制御用スロットを割り当てる（Ｓ２７）。
【００８８】
ところで、特許文献１記載の無線基地局システムでは、無線基地局から無線端末局への制御チャネルはマスター基地局からのみ送信される構成であるため、無線基地局および無線端末局の通信状態に応じて適切に制御チャネルを送信することができないという問題点があった。
【００８９】
しかしながら、本発明の実施の形態に係る無線基地局システムでは、マスター基地局２０１における送信選択制御部１６は、下り個別制御チャネルをスレーブ基地局２０２で送信することが可能であると判断すると、収集部１５から受けたマスター基地局２０１における上り共通制御チャネルの受信レベルおよびスレーブ基地局２０２における上り共通制御チャネルの受信レベルを比較する。そして、送信選択制御部１６は、マスター基地局２０１における上り共通制御チャネルの受信レベルがスレーブ基地局２０２における上り共通制御チャネルの受信レベル未満である場合には、アクセス端末局に対応する下り個別制御チャネルをスレーブ基地局２０２で送信することを決定する。すなわち、マスター基地局２０１における制御用スロット処理部１１は、アクセス端末局に対応する下り個別制御チャネルの送信を行なわない。そして、スレーブ基地局２０２における制御用スロット処理部２１は、アクセス端末局に対応する下り個別制御チャネルの送信を行なう。
【００９０】
このような構成により、ある無線端末局に対応する下り個別制御チャネルを、その無線端末局との通信状態が良好な無線基地局から送信することができ、無線基地局および無線端末局の通信状態に応じて適切に下り個別制御チャネルの送信を行なうことができる。
【００９１】
さらに、本発明の実施の形態に係る無線基地局システムでは、マスター基地局２０１におけるリソース割当部１３は、マスター基地局２０１の通話用スロットのいずれかが未使用である場合には、マスター基地局２０１の通話用スロットを優先的に割り当てる制御を行なう。また、スレーブ基地局２０２におけるリソース割当部２３は、スレーブ基地局２０２のいずれかの通話用スロットが未使用である場合には、通話用スロットを優先的に割り当てる制御を行なう。そして、リソース割当部２３は、制御用スロットを無線端末局に割り当てており、かつ、スレーブ基地局２０２のいずれかの通話用スロットが未使用となった場合には、制御用スロットの割り当てを中止して、制御用スロットを使用していた無線端末局に、未使用となった通話用スロットを割り当てる制御を行なう。
【００９２】
このような構成により、スレーブ基地局２０２の制御用スロットを可能な限り無線端末局に割り当てずに送信選択制御を行なう、すなわち、無線基地局システムにおけるマスター基地局２０１およびスレーブ基地局２０２の通話用スロットのすべてが使用中の場合であって、新たに無線端末局にスロットを割り当てる必要が生じるときまで送信選択制御を行なうことができ、無線基地局システムにおけるリソースを効率的に使用することができる。
【００９３】
さらに、本発明の実施の形態に係る無線基地局システムでは、下り個別制御チャネルの送信をスレーブ基地局２０２の制御用スロットにおいて行なっており、かつ、無線基地局システムにおけるマスター基地局２０１およびスレーブ基地局２０２の通話用スロットのすべてが使用中であり、かつ、新たに無線端末局にスロットを割り当てる必要が生じた場合には、スレーブ基地局２０２における下り個別制御チャネルの送信を停止して、スレーブ基地局２０２の制御用スロットを無線端末局に割り当てる制御を行なう。
【００９４】
このような構成により、マスター基地局およびスレーブ基地局で構成される無線基地局システムの利点、すなわちスレーブ基地局が割り当てることのできる通話チャネルの数を増やすことができるという利点が送信選択制御を行なうことによって失われることを防ぐことができる。
【００９５】
［変形例］
本発明は、上記実施の形態に限定されるものではなく、たとえば以下の変形例も含まれる。
【００９６】
（１）  下り個別制御チャネルをスレーブ基地局２０２で送信することが可能であるか否かの判断基準
本発明の実施の形態に係る無線基地局システムでは、送信選択制御部１６は、マスター基地局２０１およびスレーブ基地局２０２におけるスロットの使用状況に基づいて、下り個別制御チャネルをスレーブ基地局２０２で送信することが可能であるか否かを判断する構成としたが、これに限定するものではない。
【００９７】
スレーブ基地局２０２におけるリソース割当部２３が制御用スロットを常に無線端末局に割り当てない構成であれば、スレーブ基地局２０２は常に制御用スロットにおいて下り個別制御チャネルを送信できるため、送信選択制御部１６が、下り個別制御チャネルをスレーブ基地局２０２で送信することが可能であるか否かを判断する必要はない。したがって、無線基地局システムは、収集部１５が収集した各無線基地局における上り共通制御チャネルの受信レベルのみに基づいて、割当端末局に対応する下り個別制御チャネルの送信をマスター基地局２０１またはスレーブ基地局２０２のいずれで行なうかを決定する構成とすることができる。
【００９８】
（２）  下り個別制御チャネルをスレーブ基地局２０２で送信することが可能であるか否かの判断基準
本発明の実施の形態に係る無線基地局システムでは、送信選択制御部１６は、リソース割当部１３から受けたリソース情報が表わすマスター基地局２０１およびスレーブ基地局２０２におけるスロットの使用状況に基づいて、下り個別制御チャネルをスレーブ基地局２０２で送信することが可能であるか否かを判断する構成としたが、これに限定するものではない。
【００９９】
スロットに限らず、下り個別制御チャネルの送信が可能であるか否かに影響を与える無線基地局のリソースであれば、どのようなものでもよい。たとえば、下り個別制御チャネルの送信が可能であるか否かが、無線基地局が備える回路の規模またはＣＰＵ（Central Processing Unit）の処理量に影響される場合には、無線基地局が備える回路の使用率またはＣＰＵの処理量に基づいて、下り個別制御チャネルをスレーブ基地局２０２で送信するを行なうことが可能であるか否かを判断する構成とすることができる。
【０１００】
また、ＴＤＭＡ／ＴＤＤ方式ではなくＣＤＭＡ（Code Division Multiple Access）方式を採用する無線基地局システムにおいては、下り個別制御チャネルの送信が可能であるか否かがスロットではなく拡散符号の使用状況に影響される場合がある。このような場合には、無線基地局が無線端末局に割り当てる拡散符号の使用状況に基づいて、下り個別制御チャネルをスレーブ基地局２０２で送信することが可能であるか否かを判断する構成とすることができる。
【０１０１】
（３）  下り個別制御チャネルを送信する基地局の選択基準
本発明の実施の形態に係る無線基地局システムでは、送信選択制御部１６が、収集部１５から受けた各無線基地局における上り共通制御チャネルの受信レベルに基づいて、無線端末局に対応する下り個別制御チャネルの送信をマスター基地局２０１またはスレーブ基地局２０２のいずれで行なうかを決定する構成としたが、これに限定するものではない。
【０１０２】
無線端末局との通信状態を表わすものであればどんなものを基準としてもよく、たとえば、無線端末局から受信する無線信号に含まれる干渉波の受信電力または無線基地局と無線端末局との通信におけるエラー検出率などに基づいて、送信選択制御部１６が、割当端末局に対応する下り個別制御チャネルの送信をマスター基地局２０１またはスレーブ基地局２０２のいずれで行なうかを決定する構成とすることができる。
【０１０３】
また、送信選択制御部１６が、無線端末局に対応する下り個別制御チャネルの送信をマスター基地局２０１またはスレーブ基地局２０２のいずれで行なうかを決定する基準とする信号は上り共通制御チャネルに限らず、たとえば個別制御チャネルまたは通話チャネルなど、無線端末局が無線基地局に送信する他の信号であってもよい。
【０１０４】
（４）  リソース割当部
本発明の実施の形態に係る無線基地局システムでは、スレーブ基地局２０２におけるリソース割当部２３が、スレーブ基地局２０２のどのスロットを無線端末局に割り当てるかを決定する構成としたが、これに限定するものではない。
【０１０５】
マスター基地局２０１におけるリソース割当部１３は、前述のように、リソース要求検出部１２から受けたリソース要求情報、スレーブ基地局２０２からインタフェース部７経由で受けたスレーブ局リソース情報および送信選択制御部１６から受けた制御チャネル送信情報に基づいて、マスター基地局２０１およびスレーブ基地局２０２におけるスロットの使用状況を把握している。したがって、マスター基地局２０１におけるリソース割当部１３が、マスター基地局２０１の通話用スロットならびにスレーブ基地局２０２の制御用スロットおよび通話用スロットのうちのいずれを無線端末局に割り当てるかを決定する構成とすることができる。この場合、リソース割当部１３は、マスター基地局２０１およびスレーブ基地局２０２の通話用スロットを優先的に無線端末局に割り当てる構成とすることができる。
【０１０６】
（５）  共通制御チャネル
本発明の実施の形態に係る無線基地局システムでは、無線端末局が上り共通制御チャネルを無線基地局に送信することにより通話用スロットの割り当てを無線基地局に要求する際に、下り個別制御チャネルをスレーブ基地局２０２で送信するか否かを送信選択制御部１６が判断する構成としたが、これに限定されるものではない。無線端末局および無線基地局が通話用スロットを使用して通信を行なっている際に、下り個別制御チャネルをスレーブ基地局２０２で送信するか否かを送信選択制御部１６が判断する構成であってもよい。
【０１０７】
（６）  無線基地局システムの通信方式
本発明の実施の形態に係る無線基地局システムは、ＴＤＭＡ／ＴＤＤ方式で通信を行なう構成としたが、これに限定するものではない。ＴＤＭＡ／ＴＤＤ方式に限らず、マスター基地局２０１およびスレーブ基地局２０２が接続されて、スレーブ基地局２０２が、無線端末局との通信を行なうのに必要な制御チャネルを使用せずにマスター基地局２０１の制御に基づいて無線端末局と通信することが可能であれば、どのような通信方式を採用する無線基地局システムでもよい。
【０１０８】
（７）  無線基地局システムの構成
本発明の実施の形態に係る無線基地局システムは、マスター基地局２０１およびスレーブ基地局２０２で構成されるとしたが、これに限定するものではない。１台のマスター基地局および複数台のスレーブ基地局が縦続接続される構成とすることができる。
【０１０９】
また、無線基地局システムは、各無線基地局が縦続接続されている構成に限らず、マスター基地局およびスレーブ基地局が接続されて、スレーブ基地局が共通制御チャネルを使用せずにマスター基地局の制御に基づいて無線端末局と通信することが可能な接続形態であれば、どのようなものでもよい。たとえば、１つの無線基地局が他の複数の無線基地局と接続される構成とすることができる。また、各無線基地局システムは、有線および無線のいずれで接続されていてもよい。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１１】
【図１】本発明の実施の形態に係る無線基地局システムの構成図である。
【図２】本発明の実施の形態に係る無線基地局システムにおけるマスター基地局２０１の構成を示す機能ブロック図である。
【図３】本発明の実施の形態に係る無線基地局システムにおけるスレーブ基地局２０２の構成を示す機能ブロック図である。
【図４】本発明の実施の形態に係る無線基地局システムの動作手順を定めたフローチャートである。
【図５】本発明の実施の形態に係る無線基地局システムの動作手順を定めたフローチャートである。
【符号の説明】
【０１１２】
１  アンテナ、２  スイッチ、３  受信部、４  復調部、５  中央制御部、６  回線制御部、７  インタフェース部、８  変調部、９  送信部、１０  通話用スロット処理部、１１，２１  制御用スロット処理部、１２  リソース要求検出部、１３，２３  リソース割当部、１４，２４  測定部、１５  収集部、１６  送信選択制御部、５０，５１  無線信号処理部、６０  リソース管理部、２０１  マスター基地局、２０２  スレーブ基地局。
【図１】
2006253832.tif 000003
【図２】
2006253832.tif 000004
【図３】
2006253832.tif 000005
【図４】
2006253832.tif 000006
【図５】
2006253832.tif 000007